【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
式
【化１３】
2019500445.tif 000001
［式中、
Ｒａは、ＯＨ、Ｃｌ、１〜２０個の炭素を有する置換もしくは非置換のアルコキシル基、１〜２０個の炭素を有するアルキル基又は６〜２０個の炭素を有するアリール基を表わし、
Ｓ１は、単結合又は直鎖もしくは分岐鎖の置換もしくは非置換のＣ１〜Ｃ２４アルキレンを表わし、当該アルキレンにおいて、１つ以上の、隣接しない−Ｃ−、−ＣＨ−、−ＣＨ２−基は、ヘテロ原子により置き換えられていてもよく、
ｚは、０〜１５の整数であり、
Ｚ１は、単結合又は置換もしくは非置換のＣ３〜Ｃ１２脂肪族もしくは脂環式基を表わし、
ｎ０は、０〜４の整数であり、
ｎ１は、０〜１５の整数であり、
ｎ２は、１〜１５の整数であり、
ｘ０は、１〜２の整数であり、
Ｘ、Ｙは、それぞれ独立して、Ｈ、Ｆ、Ｃｌ、ＣＮを表わし、
Ｓ２は、環状、芳香族、直鎖又は分岐鎖の置換又は非置換のＣ１〜Ｃ２４アルキレンを表わし、当該アルキレンにおいて、１つ以上の−Ｃ−、−ＣＨ−、−ＣＨ２−基は、連結基により置き換えられていてもよく、
Ｅは、Ｏ、Ｓ、ＮＨ、Ｃ（Ｃ１〜Ｃ６アルキル）、ＮＲ４、ＯＣ、ＯＯＣ、ＯＣＯＮＨ、ＯＣＯＮＲ４、ＳＣＳ、ＳＣを表わし、ここで、Ｒ４は、環状、直鎖又は分岐鎖の置換又は非置換のＣ１〜Ｃ２４アルキルを表わし、ここで、１つ以上の−Ｃ−、−ＣＨ−、−ＣＨ２−基は、それぞれ独立して、連結基により置き換えられていてもよく、
Ａは、ハロゲン、Ｈ又は置換もしくは非置換のＣ１〜Ｃ２４アルキル、置換もしくは非置換のＣ２〜Ｃ２４アルケニル、置換もしくは非置換のＣ２〜Ｃ２４アルキニル又はカルボン酸、Ｃ１〜Ｃ２４アルコキシを表わし、ここで、１つ以上の−Ｃ−、−ＣＨ−、−ＣＨ２−基は、それぞれ独立して、ヘテロ原子により置き換えられていてもよく、
Ｒ０は、ＯＨ、Ｃｌ、直鎖又は分岐鎖の１〜２０個の炭素を有する置換又は非置換のアルコキシル基を表わし、ここで、１つ以上の−Ｃ−、−ＣＨ−、−ＣＨ２−は、非置換又は置換のＣ６〜Ｃ２０アリール基により置き換えられていてもよく、
Ｚ２は、その電子密度の非局在性を有し、及び／又は、その隣接する原子の電子密度の非局在性を誘引する化学基を表わし、
Ｔは、非置換又は置換された直鎖のＣ１〜Ｃ１６アルキルを表わす］
で示されるモノマーを少なくとも含む、
シロキサンポリマー又はコポリマー。
【請求項２】
Ｒａ、ｚ、ｎ１、ｎ２、ｘ０、Ｓ２、Ａ、Ｒ０、Ｔが、請求項１に定義されたとおりであり、
Ｚ１が、置換又は非置換のＣ５〜Ｃ６脂環式基を表わし、
Ｓ１が、置換又は非置換のＣ１〜Ｃ２４直鎖アルキルを表わし、
Ｅが、Ｏ又はＳ又はＮＨを表わし、
Ｘ、Ｙが、Ｈであり、
Ｚ２が、Ｃ１〜Ｃ６アルコキシ、ジ−（Ｃ１〜Ｃ１６アルキル）アミノ、ニトリル、ピリジル、非置換又は置換の直鎖又は分岐鎖のアルキニル、アミン、アクリレート、Ｃ１〜Ｃ６アルキルエステル、非置換又は置換の炭素環もしくは複素環芳香族基又は脂環式基である、請求項１記載のシロキサンポリマー又はコポリマー。
【請求項３】
Ｒａ、ｚ、ｎ１、ｎ２、ｘ０、Ｓ２、Ｒ０、Ｔが、請求項１に定義されたとおりであり、
Ａが、Ｈ、１つ以上のハロゲン、１つ以上のメトキシ基又は１つ以上のカルボン酸基を表わし、
Ｚ１が、置換又は非置換のＣ５〜Ｃ６脂環式基を表わし、
Ｓ１が、置換又は非置換のＣ１〜Ｃ２４直鎖アルキルを表わし、
Ｅが、Ｏ又はＳ又はＮＨを表わし、
Ｘ、Ｙが、Ｈであり、
Ｚ２が、Ｃ１〜Ｃ６アルコキシ、ジ−（Ｃ１〜Ｃ１６アルキル）アミノ、ニトリル、ピリジル、非置換又は置換の直鎖又は分岐鎖のアルキニル、アミン、アクリレート、Ｃ１〜Ｃ６アルキルエステル、非置換又は置換の炭素環もしくは複素環芳香族基又は脂環式基である、請求項１又は２記載のシロキサンポリマー又はコポリマー。
【請求項４】
Ｒａ、ｚ、ｎ１、ｎ２、ｘ０、Ｓ２、Ｒ０、Ｔが、請求項１に定義されたとおりであり、
Ａが、Ｈ、１つ以上のハロゲン、１つ以上のメトキシ基又は１つ以上のカルボン酸基を表わし、
Ｚ１が、置換又は非置換のＣ５〜Ｃ６脂環式基を表わし、
Ｓ１が、置換又は非置換のＣ１〜Ｃ２４直鎖アルキルを表わし、
Ｅが、Ｏを表わし、
Ｘ、Ｙが、Ｈであり、
Ｚ２が、Ｃ１〜Ｃ６アルコキシ、ジ−（Ｃ１〜Ｃ１６アルキル）アミノ、ニトリル、ピリジル、非置換又は置換の直鎖又は分岐鎖のアルキニル、アミン、アクリレート、Ｃ１〜Ｃ６アルキルエステル、非置換又は置換の炭素環もしくは複素環芳香族基又は脂環式基である、請求項１〜３のいずれか一項記載のシロキサンポリマー又はコポリマー。
【請求項５】
Ｒａ、ｚ、ｎ１、ｎ２、ｘ０、Ｓ２、Ｒ０、Ｔが、請求項１に定義されたとおりであり、
Ａが、Ｈ、１つ以上のハロゲン、１つ以上のメトキシ基又は１つ以上のカルボン酸基を表わし、
Ｚ１が、置換もしくは非置換のシクロヘキサノール基又は置換もしくは非置換のシクロヘキサンエーテル基であり、
Ｓ１が、エチレン基であり、
Ｘ及びＹが、Ｈであり、
Ｅが、Ｏであり、
Ｚ２が、Ｃ１〜Ｃ６アルコキシ、ジ−（Ｃ１〜Ｃ１６アルキル）アミノ、ニトリル、ピリジル、非置換又は置換の直鎖又は分岐鎖のアルキニル、アミン、アクリレート、Ｃ１〜Ｃ６アルキルエステル、非置換又は置換の炭素環もしくは複素環芳香族基又は脂環式基である、請求項１〜４のいずれか一項記載のシロキサンポリマー又はコポリマー。
【請求項６】
請求項１〜５のいずれか一項記載の式（Ｉ）で示されるモノマーを含むシロキサンコポリマー。
【請求項７】
少なくとも１つの請求項１〜６のいずれか一項記載の第１シロキサンポリマー又はコポリマーと、第１シロキサンポリマー又はコポリマーと同一ではない第２ポリマー又はコポリマーと、任意選択的に添加剤とを含む、
組成物。
【請求項８】
少なくとも１つの請求項１〜６のいずれか一項記載の第１シロキサンポリマー又はコポリマーと、ポリアミド酸又はポリイミドである第２ポリマー又はコポリマーと、任意選択的に添加剤とを含む、
組成物。
【請求項９】
ｉ．  式（ＩＩ）
【化１４】
2019500445.tif 000002
［式中、
Ｒａは、ＯＨ、Ｃｌ、１〜２０個の炭素を有する置換もしくは非置換のアルコキシル基、１〜２０個の炭素を有するアルキル基又は６〜２０個の炭素を有するアリール基を表わし、
Ｒ０は、ＯＨ、Ｃｌ、直鎖又は分岐鎖の１〜２０個の炭素を有する置換又は非置換のアルコキシル基を表わし、当該アルコキシ基において、Ｃ、ＣＨは、非置換又は置換のＣ６〜Ｃ２０アリール基により置き換えられていてもよく、
Ｓ１は、単結合又は直鎖もしくは分岐鎖の置換又は非置換のＣ１〜Ｃ２４アルキレンを表わし、当該アルキレンにおいて、１つ以上の、好ましくは、隣接していない−Ｃ−、−ＣＨ−、−ＣＨ２−基は、ヘテロ原子により置き換えられていてもよく、
ｚは、０〜１５の整数であり、
Ｚ３は、エポキシ基を有するＣ３〜Ｃ１２の置換又は非置換の環状基を表わす］
で示されるモノマーを含むシロキサンモノマー、ポリマー及びオリゴマーからなる群より選択される少なくとも１つの化合物を、式（ＩＩＩ）
【化１５】
2019500445.tif 000003
［式中、
Ｅ１は、ＯＨ、ＳＨ、ＮＨ２、ＮＨ（Ｃ１〜Ｃ６アルキル）、ＮＨＲ４、ＨＯＣ、ＨＯＯＣ、ＨＯＣＯＮＨ、ＨＯＣＯＮＲ４、ＨＳＣＳ、ＨＳＣを表わし、ここで、Ｒ４は、環状、直鎖又は分岐鎖の置換又は非置換のＣ１〜Ｃ２４アルキルであり、ここで、１つ以上のＣ、ＣＨ、ＣＨ２基は、それぞれ独立して、連結基により置き換えられていてもよく、
Ｘ、Ｙは、それぞれ独立して、Ｈ、Ｆ、Ｃｌ、ＣＮを表わし、
Ａは、カルボン酸基、置換又は非置換のＣ１〜Ｃ２４アルキル、置換又は非置換のＣ１〜Ｃ２４アルケニル、置換又は非置換のＣ１〜Ｃ２４アルキニルを表わし、ここで、１つ以上の−Ｃ−、−ＣＨ−、−ＣＨ２−基は、それぞれ独立して、ヘテロ原子により置き換えられていてもよく、
Ｓ２は、スペーサー単位を表わし、
ｎ１は、０〜１５の整数であり、
ｎ２は、１〜１５の整数であり、
Ｚ２は、その電子密度の非局在性を有し、及び／又は、その隣接する原子の電子密度の非局在性を誘引する化学基を表わし、
Ｔは、非置換又は置換された直鎖のＣ１〜Ｃ１６アルキルを表わす］
で示される別の化合物と、有機溶媒及び触媒の存在下で反応させる工程と、
ｉｉ．  任意選択的に、工程ｉ）により得られた生成物を、Ｃ１〜Ｃ２４の直鎖、分岐鎖又は環状アルコール（ここで、１つ以上のＣ、ＣＨ、ＣＨ２基は、それぞれ独立して、連結基により置き換えられていてもよい）と、塩基の存在下で反応させる工程と、
ｉｉｉ．  得られた生成物を単離し、精製する工程
とを含む、直鎖、分岐鎖又は架橋された、請求項１〜５のいずれか一項記載のシロキサンポリマー又はコポリマーを製造するための方法。
【請求項１０】
請求項１〜６のいずれか一項記載の少なくとも１つのシロキサンポリマーもしくはコポリマー又は請求項７もしくは８記載の組成物を含む、
配向層。
【請求項１１】
液晶を配向させるための、請求項１０記載の配向層の使用。
【請求項１２】
液晶の配向が平面配向である、請求項１１記載の使用。
【請求項１３】
ｉ．１つ以上の重合性液晶モノマーを含むか又は前記重合性液晶モノマーの重合形態である１つ以上の液晶ポリマーもしくはオリゴマーを含む液晶組成物、並びに／又は
ｉｉ．１つ以上の重合性液晶モノマーを含むか又は前記重合性液晶モノマーの重合形態である１つ以上の液晶ポリマーもしくはオリゴマーを含む液晶組成物であって、前記液晶組成物が、一対の前記配向層間に挟まれている液晶組成物
の配向のための、請求項１０記載の配向層の使用。
【請求項１４】
請求項１〜６のいずれか一項記載の少なくとも１つの直鎖、分岐鎖もしくは架橋ポリマーもしくはコポリマー又は請求項７もしくは８記載の組成物又は請求項１０記載の配向層を含む、光学的又は電気光学的な非構造化又は構造化素子。
【請求項１５】
請求項１〜６のいずれか一項記載の少なくとも１つの直鎖、分岐鎖もしくは架橋ポリマーもしくはコポリマー又は請求項７もしくは８記載の組成物又は請求項１０記載の配向層を含む、液晶ディスプレイセル、多層及びハイブリッド層素子。